(57)【特許請求の範囲】
【請求項１】
トリップバーに対向して設けられると共に信号電圧により励磁されるようになされた釈放用コイルと、上記釈放用コイルの巻芯部に摺動できるように設けられたプランジャーと、上記釈放用コイルの巻芯部の一端に設けられ、上記釈放用コイルが励磁されていないとき上記プランジャーを吸引保持し、上記釈放用コイルが励磁されたとき上記プランジャーの吸引保持力が低減するように構成された永久磁石と、上記永久磁石の吸引保持力が低減したとき上記プランジャーを上記トリップバーに向かって突出させるプランジャーばねと、上記釈放用コイルに直列に接続された焼損防止スイッチと、回動できるように中間部が軸支され、一端の係脱部が開閉機構の開閉動作に応じて可動接触子と係脱し、他端の係合指片部が上記プランジャーに係合すると共に、上記係合指片部の側に設けられた押手部が上記焼損防止スイッチの作動ボタンと係合するように構成された作動レバーと、上記係合指片部が上記プランジャーを上記永久磁石に押付ける方向に上記作動レバーを付勢回動させるリセットばねとを備え、回路遮断器がトリップまたはオフ状態においては、上記リセットばねの付勢力により上記作動レバーの係合指片部が上記プランジャーを上記永久磁石に押付け、かつ、押手部が上記焼損防止スイッチをオフにし、上記回路遮断器がオン状態においては、上記開閉機構の動作に応動して上記係合指片部を上記プランジャーから退避させると共に、上記押手部を上記焼損防止スイッチの作動ボタンから離脱させて上記焼損防止スイッチをオンに復帰させるようにしたことを特徴とする回路遮断器の電圧引外し装置。
【請求項２】
プランジャーに固定ばね止めとこの固定ばね止めに当接する可動ばね止めを設けてプランジャーばねを保持すると共に、上記プランジャーに形成された段部と上記可動ばね止めの間に復帰ばねを介装し、作動レバーの係合指片部は、上記可動ばね止め及び復帰ばねを介して上記プランジャーと係合するようにしたことを特徴とする請求項１記載の回路遮断器の電圧引外し装置。
【請求項３】
作動レバーの押手部を、所定量の変形ができる弾性部材で形成したことを特徴とする請求項１または請求項２記載の回路遮断器の電圧引外し装置。
【発明の詳細な説明】
【０００１】
【発明の属する技術分野】
この発明は、回路遮断器に内蔵され、外部からの信号電圧により回路遮断器を遮断動作させる電圧引外し装置に関する。
【０００２】
【従来の技術】
図７は、例えば特開平６−１３９９０１号公報に示された従来の回路遮断器の電圧引外し装置を示す斜視図、図８は従来の電圧引外し装置を回路遮断器に組み込んだ状態で、開閉機構がオン状態を示す部分側断面図、図９は従来の電圧引外し装置を回路遮断器に組み込んだ状態で、開閉機構がトリップまたはオフ状態を示す部分側断面図である。  図において、１は電圧引外し装置、２は電磁石部であり、コイル２ａ、ヨーク２ｂ、プラジャーガイド２ｃ、アンビル２ｄ（図示せず）などから構成されている。３ａ、３ｂは外部から信号電圧を印加するためのリード線、４は焼損防止スイッチであり、電磁石部２のコイル２ａと直列に接続されている。５は電磁石部２のプラジャー、６はレバーであり、腕部６ａと脚部６ｂとで構成され、ピン７によりヨーク２ｂに回動可能に支承され、リセットばね８により通常は図において反時計回り方向に付勢されている。９は電磁石部２と焼損防止スイッチ４を保持するマウンティングベース、１０はアクチュエータであり、軸９ａによりマウンティングベース９に支承され、アクチュエータばね１１（図示せず）により通常時は焼損防止スイッチ４の作動ボタン（図示せず）が押し込まれており焼損防止スイッチ４は導通可能の状態にある。１２は電圧引外し装置１の外ケースであり、矢印方向に装着される。
【０００３】
図８において、１４は可動接触子であり、先端に可動接点１４ａが固着されている。１５は固定接触子であり、可動接点１４ａに対向する固定接点１５ａが固着されている。１６はトリップバーであり、このトリップバー１６の作動により開閉機構（図示せず）に連結されクロスバー１７を介して、図９に示すように可動接触子１４と固定接触子１５の両接点を開離して電路を遮断する。
【０００４】
次に従来の電圧引外し装置の動作について説明する。電圧引外し装置を動作させるためにリード線３ａ、３ｂに外部から信号電圧を印加するとコイル２ａに電流が流れて励磁され、電磁石部２に電磁力が生じプラジャー５はアンビル２ｄ（図示せず）に吸引される。プラジャー５の吸引に連動してレバー６の腕部６ａが回動し、さらにピン７を中心に脚部６ｂが回動してトリップバー１６を押して開閉機構を作動させる。この開閉機構の作動により回路遮断器はトリップ状態になる。
【０００５】
図９において、トリップ作動によるクロスバー１７のオン位置からオフ位置への回動に伴い、クロスバー１７がアクチュエータ１０をアクチュエータばね１１の付勢力に抗して軸９ａ（図７に示す）を中心に押し上げて焼損防止スイッチ４の作動ボタンから開離するので焼損防止スイッチ４がオフに切り替わり、直列に接続されているコイル２ａの電流は断たれる。従って、回路遮断器がトリップした後に続けて電圧が印加されていてもコイル２ａは焼損から保護される。
また、回路遮断器のオフ状態ではトリップ状態と同様にクロスバー１７がアクチュエータ１０を押し上げており、焼損防止スイッチ４はオフでありコイル２ａには電流は流れないので、焼損が防止されている。
【０００６】
回路遮断器のリセット状態では、アクチュエータ１０はクロスバー１７から開放されると共に、アクチュエータばね１１の付勢力により焼損防止スイッチ４の作動ボタンを押し込む。従って、焼損防止スイッチ４はオンとなり、コイル２ａへの通電が可能な状態になる。そして、レバー６はリセットばね８により押し戻されプランジャー５は初期位置へ復帰する。
【０００７】
【発明が解決しようとする課題】
従来の回路遮断器の電圧引外し装置は、上記のように軸９ａに組み込まれるアクチュエータばね１１に付勢されるアクチュエータ１０と、ピン７に組み込まれるリセットばね８に付勢されるレバー６の２つの軸部があり、このため組立てが複雑であった。また、軸部が突出するので電圧引外し装置の外形が大きくなり、回路遮断器の内蔵スペースを大きく必要とするという課題があった。
【０００８】
この発明は上記の課題を解決するためになされたもので、組立てが容易で、小形で安価な電圧引外し装置を得ることを目的とする。
【０００９】
【課題を解決するための手段】
この発明に係る回路遮断器の電圧引外し装置は、信号電圧により電磁石が作動して、突出したプランジャーがトリップバーを押圧すると共に、トリップした後は、焼損防止スイッチにより電磁石に対する通電を停止するものにおいて、回動できるように中間部が軸支され、一端の係脱部が開閉機構の開閉動作に応じて可動接触子と係脱し、他端の係合指片部がプランジャーに係合すると共に、押手部が焼損防止スイッチの作動ボタンと係合するように構成された１個の作動レバーと、係合指片部がプランジャーをリセット方向に付勢回動させるリセットばねとを備えて構成したものである。
【００１０】
また、プランジャーに、固定ばね止めとこの固定ばね止めに当接する可動ばね止めを設けてプランジャーばねを保持すると共に、プランジャーに形成された段部と可動ばね止めの間に復帰ばねを介装し、作動レバーの係合指片部は、可動ばね止め及び復帰ばねを介してプランジャーと係合するようにしたものである。
【００１１】
そして、作動レバーの押手部を、所定量の変形ができる弾性部材で形成することにより、焼損防止スイッチをオフさせてから、作動レバーが押手部の弾性変形によりさらにリセット位置へ回動可能にしたものである。
【００１２】
【発明の実施の形態】
実施の形態１．
図１ないし図３はこの発明の実施の形態１を示す回路遮断器の電圧引外し装置の部分側断面図である。図１は回路遮断器のオン状態における電圧引外し装置とクロスバー１７の関係を示す側断面図、図２は電圧引外し動作を説明する側断面図、図３は回路遮断器がトリップまたはオフ状態における電圧引外し装置とクロスバー１７の関係を示す側断面図である。図において、１４は可動接触子、１４ａは可動接点、１５は固定接触子、１５ａは固定接点、１６はトリップバー、１７はクロスバーであり、例えば、複数極の可動接触子を一体的にまとめるための回動軸である。これらは上記従来装置の説明と同様のものである。
【００１３】
２０は電圧引外し装置、２０ａは電圧引外し装置２０のフレームである。２１は電磁石部であり、釈放用コイル２１ａ、ヨーク２１ｂ、永久磁石２１ｃから構成されフレーム２０ａに組み付けられている。２２は磁性体からなるプランジャーであり、釈放用コイル２１ａの巻芯部において摺動できるように設けられ、延在された押棒２２ａはトリップバー１６を押圧する位置関係にある。２３はプランジャーばねであり、プランジャー２２に固着されたばね止め２２ｂと電磁石部２１の間に設けられ、プランジャー２２をトリップバー１６に押圧させるように作用する。
【００１４】
２４は焼損防止スイッチであり、釈放用コイル２１ａとはリード線２５により電気的に直列接続され、焼損防止スイッチ２４の作動ボタン２４ａを押し込むと釈放用コイル２１ａへの回路が断たれるように配線されている。２６は作動レバーであり、フレーム２０ａに設けられた支軸２７により回動可能に支承されている。この作動レバー２６の一端に形成された係脱部２６ｂはクロスバー１７に立設されている係合突起１７ａに係合する。作動レバー２６の他端に形成された係合指片部２６ａはプランジャー２２に固着されたばね止め２２ｂと係合するように形成されている。そして、作動レバー２６の係合指片部２６ａと支軸２７の中間部に焼損防止スイッチ２４の作動ボタン２４ａと対向する押手部２６ｃが設けられている。２８はリセットばねであり、図中、作動レバー２６を時計回転方向に付勢しプランジャー２２と係合する係合指片部２６ａ側ではプランジャーばね２３の力より強い付勢力となっている。
【００１５】
上記の構成において、図１に示す回路遮断器のオン状態では、プランジャーばね２３の力に勝ってプランジャー２２は永久磁石２１ｃに吸着され、押棒２２ａはトリップバー１６から離れた位置にある。そして作動レバー２６の係脱部２６ｂはクロスバー１７の係合突起１７ａに押圧され反時計方向に回動されている。これにより、作動レバー２６の係合指片部２６ａとプランジャー２２とは非係合の位置関係にあり、また押手部２６ｃも焼損防止スイッチ２４の作動ボタン２４ａとは非接触状態にある。従って、焼損防止スイッチ２４はオンであり、釈放用コイル２１ａへは通電可能である。
【００１６】
次に、回路遮断器のオン状態において、リード線２５から釈放用コイル２１ａへ信号電圧が印加されると、釈放用コイル２１ａの電流は永久磁石２１ｃの吸着力を減少させるので、プランジャーばね２３の力が吸着力より強くなり、プランジャー２２は図中左方向（図２において矢印で示す方向）へ押し出される。プランジャー２２が押し出されたとき、図２に示すようにトリップバー１６を押圧し開閉機構（図示せず）を作動させる。この作動により開閉機構に連結されたクロスバー１７が回動して可動接触子１４と固定接触子１５の両接点が開離される。上記のように、クロスバー１７が両接点を開離するように回動すると、作動レバー２６の係脱部２６ｂは係合突起１７ａの押圧が解けて、リセットばね２８の付勢力で時計回転方向に回転して図３の状態になる。作動レバー２６の時計回転方向の回転により、押手部２６ｃは作動ボタン２４ａを押し込むので焼損防止スイッチ２４は非導通になる。従って、信号電圧の印加が続いても釈放コイル２１ａへの通電が無いので、釈放コイル２１ａが焼損あるいは高温状態になるなどの問題点が解消される。そして、作動レバー２６の係合指片部２６ａはプランジャーばね２３の付勢力に抗してプランジャー２２を永久磁石２１ｃへ吸着させてリセットがなされる。
【００１７】
この実施の形態１のように構成された回路遮断器の電圧引外し装置では、回路遮断器のオン・オフまたはトリップ状態に対応して回動する作動レバー２６に、焼損防止スイッチ２４を切替えする押手部２６ｃを設けることにより、従来装置に比べアクチュエータとアクチュエータばねが不要となるため組立てが容易であり、小形の電圧引外し装置が得られる。
【００１８】
実施の形態２．
上記実施の形態１では、回路遮断器のオン状態で釈放コイル２１ａへの信号電圧の印加により永久磁石２１ｃの吸着力を減少させ、プランジャー２２をプランジャーばね２３の畜勢力でトリップバー１６を押圧して開閉機構を作動させる。この作動により、クロスバー１７が回動して係合突起１７ａが作動レバー２６の係脱部２６ｂの係止が解除される。係脱部２６ｂが解除されたとき、作動レバー２６は時計回転方向へ回転して焼損防止スイッチ２４のボタン２４ａを押し込んで釈放コイル２１ａへの通電を断つ。次に作動レバー２６の係合指片部２６ａがプランジャー２２をリセット位置である永久磁石２１ｃへ吸着させるように構成されている。
【００１９】
ところで、上記の構成は、各部の構成部品の寸法のばらつき等により、例えば、プランジャー２２が永久磁石２１ｃへ吸着するリセット位置に到達する前に押手部２６ｃが作動ボタン２４ａを押し切って止まり、それ以上の移動ができなくなりプランジャー２２がリセット位置まで移動できず、リセット不能になることがある。またこれとは逆に、焼損防止スイッチ２４がオンとなる前にプランジャー２２がリセット位置に到達してしまい、作動レバー２６がそれ以上の移動ができず、このため、焼損防止スイッチ２４が切り替わらず、釈放コイル２１ａへの信号電圧の印加が不可能になることがある。この実施の形態２は上記のような問題点を解消するためのものである。
【００２０】
即ち、図４、図５はこの発明の実施の形態２を示す回路遮断器の電圧引外し装置の部分側断面図である。図４は回路遮断器の電圧引外し動作を説明する側断面図、図５は回路遮断器がトリップまたはオフ状態の電圧引外し装置とプランジャーの関係を説明する側断面図である。図において、１４は可動接触子、１４ａは可動接点、１５は固定接触子、１５ａは固定接点、１６はトリップバー、１７はクロスバーである。また、２０は電圧引外し装置、２０ａは電圧引外し装置２０のフレーム、２１は電磁石部であり、釈放用コイル２１ａ、ヨーク２１ｂ、永久磁石２１ｃから構成されフレーム２０ａに組み付けられている。２２はプランジャー、２２ａは押棒、２３はプランジャーばね、２４は焼損防止スイッチ、２４ａは作動ボタン、２５はリード線、２６は作動レバー、２６ａは係合指片部、２６ｂは係脱部、２７は支軸、２８はリセットばねであり、これらは上記実施の形態１の説明と同様のものである。
【００２１】
３０はプランジャー２２の押棒２２ａの中途に固定され、プランジャーばね２３の付勢力をプランジャー２２に伝達する固定ばね止め、３１は固定ばね止め３０と当接し、かつ、押棒２２ａに移動可能に挿通された可動ばね止めである。３２は可動ばね止め３１とプランジャー２２の段部２２ｃの間に介装された復帰ばねである。なお、作動レバー２６の係合指片部２６ａは、固定ばね止め３０よりも大きい間隔の二股になっている。従って、係合指片部２６ａは固定ばね止め３０には係合せず、可動ばね止め３１と係合するよう形成されている。
【００２２】
つぎに実施の形態２における電圧引外し装置の動作を説明する。図４の電圧引外し作動の状態から図５のリセットへの移行において、作動レバー２６の係合指片部２６ａが右方へ移動する過程で、作動レバー２６の係合指片部２６ａが可動ばね止め３１を介してプランジャーばね２３及び復帰ばね３２を押圧する。まず、復帰ばね３２を介してプランジャー２２の右方への移動が始まる。この移動によりプランジャーばね２３が圧縮される。そして、プランジャー２２がリセット位置、即ち、永久磁石２１ｃに押し付けられる。プランジャー２２が永久磁石２１ｃに当接した後は、係合指片部２６ａからの押圧力は復帰ばね３２の圧縮により吸収される。従って、プランジャーばね２３及び復帰ばね３２が圧縮される間に押手部２６ｃが確実に焼損防止スイッチ２４をオンに切替える。
【００２３】
上記のように、プランジャー２２がリセット位置に押し付けられて、さらに作動レバー２６の係合指片部２６ａの移動量を吸収する復帰ばね３２を備えたことにより、焼損防止スイッチ２４の切替え幅の許容寸法範囲を大きくできるので、プランジャー２２がリセット位置に到達する前に焼損防止スイッチ２４を押し切ってしまうプランジャー２２のリセット不能、プランジャー２２が先にリセット位置に到達して焼損防止スイッチ２４のオン不能となることを解消できる。
【００２４】
実施の形態３．
図６は、この発明の実施の形態３を示す回路遮断器の電圧引外し装置の部分側断面図である。図において、１４は可動接触子、１４ａは可動接点、１５は固定接触子、１５ａは固定接点、１６はトリップバー、１７はクロスバーである。また、２０は電圧引外し装置、２０ａは電圧引外し装置２０のフレーム、２１は電磁石部であり、釈放用コイル２１ａ、ヨーク２１ｂ、永久磁石２１ｃから構成されフレーム２０ａに組み付けられている。２２はプランジャー、２２ａは押棒、２３はプランジャーばね、２４は焼損防止スイッチ、２４ａは作動ボタン、２５はリード線、２６は作動レバー、２６ａは係合指片部、２６ｂは係脱部、２７は支軸、２８はリセットばねであり、これらは上記実施の形態１の説明と同様のものである。
【００２５】
２６ｄは作動レバー２６から延設され、所定量の弾性変形ができるように形成された押手部である。この弾性変形ができる押手部２６ｄは、焼損防止スイッチ２４の作動ボタン２４ａと対向して設けられている。この構成において、作動レバー２６は回路遮断器のオン状態ではクロスバー１７の係合突起１７ａにより反時計回転方向に回動しており、この状態では弾性部材の押手部２６ｄは作動ボタン２４ａと開離して焼損防止スイッチ２４はオンにあり、釈放コイル２１ａへは導通可能になっている。
【００２６】
一方、回路遮断器をオフに操作すると、係合突起１７ａと作動レバー２６の係脱部２６ｂの係合が解かれ作動レバー２６はリセットばね２８の付勢力で時計回転方向に回転してリセット位置へ戻る途中で、弾性部材の押手部２６ｄが作動ボタン２４ａを押し込んだ後に、その弾性で変形して作動レバー２６のリセット位置への戻りを阻害しないため、プランジャー２２を永久磁石２１ｃに吸着させるリセット位置へ完全に押し付けることができる。
【００２７】
上記のように、焼損防止スイッチ２４の作動ボタン２４ａを押し込んだ後に弾性変形して作動レバー２６のリセット位置への戻りを阻害しない押手部２６ｄにしたので、プランジャー２２がリセット位置へ到達する前に確実に焼損防止スイッチ２４のボタン２４ａを押し込む。従って、プランジャー２２のリセット不能を解消できる。
【００２８】
なお、図６では弾性部材の押手部２６ｄを作動レバー２６と一体に成形したものを示したが、これを例えば金属製の板ばね等の弾性を有する他の部材で構成しても同等の効果を得ることは明白である。
【発明の効果】
この発明は、以上説明したように構成されているので、以下に示すような効果を奏する。
【００２９】
回動できるように中間部が軸支され、一端の係脱部が開閉機構の開閉に応じて係脱し、他端の係合指片部がプランジャーに係合すると共に、押手部が焼損防止スイッチの作動ボタンと係合するように構成された作動レバーを用いることにより、組立てが容易で、小形で安価な電圧引外し装置を得ることができる。
【００３０】
また、固定ばね止めとこの固定ばね止めに当接する可動ばね止めを設けてプランジャーばねを保持すると共に、プランジャーに形成された段部と可動ばね止めの間に復帰ばねを介装し、作動レバーの係合指片部は、可動ばね止め及び復帰ばねを介してプランジャーと係合するようにしたので、各部の部品寸法にばらつき等が生じたとしても、焼損防止スイッチ２４が確実に切り替えできる。
【００３１】
作動レバーの押手部を、所定量の変形ができる弾性部材で形成することにより、上記と同様に、各部の部品寸法にばらつき等が生じたとしても、焼損防止スイッチ２４が確実に切り替えできる。
【図面の簡単な説明】
【図１】  この発明の実施の形態１の回路遮断器のオン状態の電圧引外し装置とクロスバーの関係を示す部分側断面図である。
【図２】  この発明の実施の形態１の回路遮断器の電圧引外し動作を説明する部分側断面図である。
【図３】  この発明の実施の形態１の回路遮断器がトリップまたはオフ状態の電圧引外し装置とクロスバーの関係を示す部分側断面図である。
【図４】  この発明の実施の形態２を示す回路遮断器の電圧引外し装置の部分側断面図である。
【図５】  この発明の実施の形態２の回路遮断器がトリップまたはオフ状態の電圧引外し装置とプランジャーの関係を示す部分側断面図である。
【図６】  この発明の実施の形態３を示す電圧引外し装置の部分側断面図である。
【図７】  従来の回路遮断器の電圧引外し装置を示す斜視図である。
【図８】  従来の電圧引外し装置を組み込んだ回路遮断器のオン状態を示す部分側断面図である。
【図９】  従来の電圧引外し装置を組み込んだ回路遮断器のトリップまたはオフ状態を示す部分側断面図である。
【符号の説明】
１４  可動接触子、１５  固定接触子、１６  トリップバー、
１７  クロスバー、１７ａ  係合突起、２０  電圧引外し装置、
２１ａ  釈放用コイル、２１ｃ  永久磁石、２２  プランジャー、
２２ａ  押棒、２３  プランジャーばね、２４  焼損防止スイッチ、
２４ａ  作動用ボタン、２６  作動レバー、 ２６ａ  係合指片部、
２６ｂ  係脱部、２６ｃ  押手部、２６ｄ  押手部、２８  リセットばね、３０固定ばね止め、３１  可動ばね止め、３２  復帰ばね。
【図１】
0003763977.tif 000002
【図２】
0003763977.tif 000003
【図３】
0003763977.tif 000004
【図４】
0003763977.tif 000005
【図５】
0003763977.tif 000006
【図６】
0003763977.tif 000007
【図７】
0003763977.tif 000008
【図８】
0003763977.tif 000009
【図９】
0003763977.tif 000010